(57)【要約】      （修正有）【課題】多機能の隠蔵コンセントを提供する。【解決手段】電源指示回路６、突発波防止回路５及びセンサ保護回路４を備えた電源コンセントを有し、それは本体２及び上カバー３から構成され、本体２が上ハウジング体２１及び下ハウジング体２２を有するものにおいて、下ハウジング体２２上に数個の凹溝２２１を備えてあり、凹溝２２１内にセンサ保護回路４、突発波防止回路５及び電源指示回路６を備えて素子の組合せを介して、オーバロードの保護、突発波の濾過除去及び電源指示の効能に達成することを特徴とする多機能の隠蔵コンセント。【選択図】図１
0003121926.tif 000002
【実用新案登録請求の範囲】
【請求項１】
上ハウジング体と下ハウジング体とを組合せてなり、前記の上ハウジング体の頂端にはプラグ孔とアース孔を備えて、周辺には数個の凸起を備えており、前記下ハウジング体は上ハウジング体の下方に設けられ、周辺には数個の凸起を備えている本体と、該本体の上、下ハウジング体の組合せに用いられる上カバーを包む多機能の隠蔵コンセントにおいて  前記上ハウジング体の頂端にボタン孔と指示灯孔とを備え、前記下ハウジング体上には数個の凹溝を備えており、前記凹溝内にはスイッチ回路と復帰設備から構成されたセンサ保護回路と、
突発波防止素子から構成され、前記突発波防止素子はセンサ保護回路と電源指示回路とを並列接続している突発波防止回路と、抵抗器と電球から構成し、前記電球が上ハウジング体の指示灯孔の外まで延びた電源指示回路とを設けており、
前記素子の組合せで、オーバロードの保護、突起波の濾過除去と電源指示の効能に達成できることを特徴とする多機能の隠蔵コンセント。
【請求項２】
前記スイッチ回路に凵字形支架を備え、前記凵字形支架の上方に円孔を備え、周辺にはそれぞれ導電片とバイメタル金属片を備えており、前記バイメタル金属片の両端がそれぞれ導電片と電源端間に跨がって接続されており、前記復帰設備は復帰ボタンとスプリングから構成され、前記復帰ボタンは略筆状を呈し、その下端が凵字形支架の円孔経由でスプリングを介してバイメタル金属片の上方まで延設されており、且つ、該スプリングの弾性力を介して上ハウジング体のボタン孔の外まで延びており、電源がオーバロード又はショートの時に、前記バイメタル金属片が温度不正常のため昇温で湾曲を発生して、電源端と導電片間にオフ状態を形成して電力源を中断し、故障排除の時には復帰ボタンを押すと、バイメタル金属片が重ねて新たに接続して正常の電力回路を形成し、電源を提供してロードを供給使用させる自動トリップ・オフと、手動復帰ができるようにしたことを特徴とする請求項１記載の多機能の隠蔵コンセント。
【請求項３】
前記バイメタル金属片は一端がリベッティング、他端がバット・ストラップの方式で導電片と電源端間を跨がり接続していることを特徴とする請求項２記載の多機能の隠蔵コンセント。
【請求項４】
前記突発波防止素子はＴＮＲであり、突発波を濾過除去できて正常供電の機能を達成することができるようにしたことを特徴とする請求項１記載の多機能の隠蔵コンセント。
【請求項５】
前記電球はネオン灯又はＬＣＤ又はＬＥＤ中の一つであり、電力が正常の時に、電圧は抵抗器経由で電圧降下を発生して電球をともし、電力が中断した時に電球が消えるようにした正確な電力指示の機能を達成することができるようにしたことを特徴とする請求項１記載の多機能の隠蔵コンセント。
【考案の詳細な説明】
【技術分野】
【０００１】
本考案は多機能の隠蔵コンセントに関するものであり、特に、センサ保護回路、突発波防止回路および電源指示回路を設けて、電気の使用を達成した時、電源のオーバロードの保護、電器用品の突発波を受けての損壊防止および電源指示に用いる多機能の隠蔵コンセントに関するものである。
【背景技術】
【０００２】
現在の文明社会においては、殆ど電気が使用されている。但し、人々は電力の使用知識に対しては皆電気のさしこみ、引き抜き程度であり、コンセントの設計、機構に対して殆ど知識がない。従来の電源コンセントは電力提供の外を除いて、若し保護装置がある場合、多くはヒューズがついている。電力が過大の時にヒューズが溶断して電源を切断してロード端の用品を保護する。又は火災の発生を防止する。又、現今の電力は品質不良で常に稲妻のような突発波が発生することがある。例えば、モータの起動瞬間の電流が非常に大きく、ヒューズが容易に溶断し、用電上の不便が生じることがある。このように、その定額容量の大小は把握が容易でなく、大きい災害が発生すると云う危険もある。
【０００３】
本願出願人は伝統的コンセントの諸種の欠陥に鑑み、多年の実務上の経験を加えて遂に本考案を開発した。
【考案の開示】
【考案が解決しようとする課題】
【０００４】
本考案の目的はオーバロードを保護する多機能の隠蔵コンセントを提供するにある。
【０００５】
本考案の他の一つの目的は電源の突発波を濾過除去する多機能の隠蔵コンセントを提供する。
【０００６】
本考案の更に一つの目的は用電指示が知り得ることができる多機能の隠蔵コンセントを提供する。
【課題を解決するための手段】
【０００７】
本考案は上記目的を達成するために提案されたものであり、請求項１記載の考案は上ハウジング体と下ハウジング体とを組合せてなり、前記の上ハウジング体の頂端にはプラグ孔とアース孔を備えて、周辺には数個の凸起を備えており、前記下ハウジング体は上ハウジング体の下方に設けられ、周辺には数個の凸起を備えている本体と、該本体の上、下ハウジング体の組合せに用いられる上カバーを包む多機能の隠蔵コンセントにおいて  前記上ハウジング体の頂端にボタン孔と指示灯孔とを備え、前記下ハウジング体上には数個の凹溝を備えており、前記凹溝内にはスイッチ回路と復帰設備から構成されたセンサ保護回路と、突発波防止素子から構成され、前記突発波防止素子はセンサ保護回路と電源指示回路とを並列接続している突発波防止回路と、抵抗器と電球から構成し、前記電球が上ハウジング体の指示灯孔の外まで延びた電源指示回路とを設けており、前記素子の組合せで、オーバロードの保護、突起波の濾過除去と電源指示の効能に達成できることを特徴とする多機能の隠蔵コンセントを提供する。
【０００８】
請求項２記載の考案は前記スイッチ回路に凵字形支架を備え、前記凵字形支架の上方に円孔を備え、周辺にはそれぞれ導電片とバイメタル金属片を備えており、前記バイメタル金属片の両端がそれぞれ導電片と電源端間に跨がって接続されており、前記復帰設備は復帰ボタンとスプリングから構成され、前記復帰ボタンは略筆状を呈し、その下端が凵字形支架の円孔経由でスプリングを介してバイメタル金属片の上方まで延設されており、該スプリングの弾性力を介して上ハウジング体のボタン孔の外まで延びており、電源がオーバロード又はショートの時に、前記バイメタル金属片が温度不正常のため昇温で湾曲を発生して、電源端と導電片間にオフ状態を形成して電力源を中断し、故障排除の時には復帰ボタンを押すと、バイメタル金属片が重ねて新たに接続して正常の電力回路を形成し、電源を提供してロードを供給使用させる自動トリップ・オフと、手動復帰ができるようにしたことを特徴とする請求項１記載の多機能の隠蔵コンセントを提供する。
【０００９】
請求項３記載の考案は前記バイメタル金属片は一端がリベッティング、他端がバット・ストラップの方式で導電片と電源端間を跨がり接続していることを特徴とする請求項２記載の多機能の隠蔵コンセントを提供する。
【００１０】
請求項４記載の考案は前記突発波防止素子はＴＮＲであり、突発波を濾過除去できて正常供電の機能を達成することができるようにしたことを特徴とする請求項１記載の多機能の隠蔵コンセントを提供する。
【００１１】
請求項５記載の考案は前記電球はネオン灯又はＬＣＤ又はＬＥＤ中の一つであり、電力が正常の時に、電圧は抵抗器経由で電圧降下を発生して電球をともし、電力が中断した時に電球が消えるようにした正確な電力指示の機能を達成することができるようにしたことを特徴とする請求項１記載の多機能の隠蔵コンセントを提供する。
【考案の効果】
【００１２】
本考案は電流オーバロードの保護を効果的に奏することができ、更に、突発波防止回路を備えて電源品質を安定にすることができ、正確な電力であるか否かについての電源指示回路を提供することが可能となる。
【考案を実施するための最良の形態】
【００１３】
本考案はオーバロードを保護する多機能の隠蔵コンセントを提供すると云う目的を達成するために、上ハウジング体と下ハウジング体とを組合せてなり、前記の上ハウジング体の頂端にはプラグ孔とアース孔を備えて、周辺には数個の凸起を備えており、前記下ハウジング体は上ハウジング体の下方に設けられ、周辺には数個の凸起を備えている本体と、該本体の上、下ハウジング体の組合せに用いられる上カバーを包む多機能の隠蔵コンセントにおいて前記上ハウジング体の頂端にボタン孔と指示灯孔とを備え、前記下ハウジング体上には数個の凹溝を備えており、前記凹溝内にはスイッチ回路と復帰設備から構成されたセンサ保護回路と、突発波防止素子から構成され、前記突発波防止素子はセンサ保護回路と電源指示回路とを並列接続している突発波防止回路と、抵抗器と電球から構成し、前記電球が上ハウジング体の指示灯孔の外まで延びた電源指示回路とを設けており、前記素子の組合せで、オーバロードの保護、突起波の濾過除去と電源指示の効能に達成できることを特徴とする多機能の隠蔵コンセントを提供したことにより実現した。
【実施例】
【００１４】
以下、本考案の好適な実施例を図１乃至図５に基づいて詳述する。
【００１５】
本考案は本体２および上カバー３からなり、前記本体は上ハウジング体２１と下ハウジング体２２とを有する。前記下ハウジング体内には数個の凹溝を備え、その上にセンサ保護回路４、突発波防止回路５と電源指示回路６とを備えている。以下、詳細に説明する。      
【００１６】
図１に示すように、本体２は上ハウジング体２１、下ハウジング体２２から構成されている。そのうち、上ハウジング体の頂端にプラグ孔２１１，２１２とアース孔２１３，２１４を備え、頂端の予定箇所にボタン孔２１５と指示灯孔２１６を備えている。上ハウジングの周辺には数個の凸起２１７を備えており、下ハウジング体と組合わされるものとする。下ハウジング体２２は上ハウジング体の下方に設けられ、その上に長形の凹溝２２１を備えて導電片２２２の取付けに供する。更に又、略凸形を呈する凹溝２２３を備えて、センサ保護回路４、突発波防止回路５と電源指示回路６を収容している。下ハウジング体の周辺には数個の凸起２２４を備えて、上カバーと組合せる。下ハウジングの底端には三組の導線溝２３を備えて、＋線、−線とアース線に接続する（図５参照）。前記導線溝２３は略Ｆ字形を呈する銅片、ニスプリング片、プラスチックボタンと下ハウジング体上に設けた入線及び取出線口とから構成されている。電導線を取出す必要があった時、例えばドライバのような棒体により取出線口に挿入して、プラスチックボタンを支えると電導線が自ら脱出する。
【００１７】
上カバー３の周辺箇所に数個のとめボタン３１を備えて、本体とかけ合わせてその両端箇所に孔３２を備えている。
【００１８】
図１〜２に示すように、センサ保護回路４はスイッチ回路４１と復帰設備４２とから構成される。下ハウジング体に設けた凹溝２２３は、そのうち前記スイッチ回路４１が凵字形支架４１１を有し、前記凵字形支架４１１の上方に円孔４１２を備え、周辺箇所に導電片４１３，４１４を備える。図２Ａに示すように、導電片４１４上にバイメタル金属片４１５を備え、前記の異なる合せ金属片の一端が導電片４１４にリベッティングされ、他端が電源端４１６に接合している。
【００１９】
図２Ｂに示すように、スイッチ回路の上方箇所に復帰設備４２を備え、前記復帰設備は復帰ボタン４２１とスプリング４２２とから構成され、そのうち、前記復帰ボタンは略筆状を呈し、その下端は円孔４１２によりバイメタル金属片４１５の上方まで延びている。又、図２Ｂに示すようにスプリング４２２を備えて、該スプリングの弾性力により上ハウジング体の押しボタン孔２１５の外まで延設して、凵字形支架と上ハウジング体間に設けている。
【００２０】
正常な電源の時には、前記バイメタル金属片４１５と導電片４１４間に正常電力回路を形成し、電力源は電源端の正常アウトプット端からロード端までできる。電源がオーバロード又はショートを発生した時、前記バイメタル金属片が直ちに温度不正常のため昇温して湾曲を生ずることで、電源端と導電片間にオン状態を形成し、電力源が中断する。故障排除の時には復帰ボタンを押して、バイメタル金属片が重ねて新たに接続できて正常電力回路を形成し電源をロードに供して使用させる。
【００２１】
図１−３に示すように、突発波防止回路５はセンサ保護回路と電源指示回路とを並列に接続し、本体の下ハウジング体の凹溝２２３に設けている。それは突発波防止素子５１（ＴＮＲ）から構成したものである。電力源の回路が不安定の時、突発波防止回路は突発波を濾過除去することで電力の品質を保持し、ロード端電器の安全を保護する。
【００２２】
電源指示回路６は突発波防止回路５および電力源と並列に接続されて、抵抗器６１および電球６２から成るロード端である。前記電球は上ハウジング体の指示灯孔の外に延びて、前記電球はネオン灯又はＬＣＤ又はＬＥＤ等とすることができる。電力源がある時に、電圧は抵抗器経由で電圧降下を発生して、電球は点灯することで電力源が通じるのを確認、誤りの触発又はその他危険の発生を防止する。
【００２３】
図４に示すように、電源コンセント、そのセンサ保護回路の利用で突発波防止回路および電源指示回路への配合は、ロード端の電器の保護ができ、ショート又は故障のために火災の発生および生命財産の安全を防止でき、並びに突発波を濾過除去ができて電気製品の供電品質を確保、かつ電源指示の効果を奏することができる。
【００２４】
センサ保護回路はスイッチ回路および復帰設備を有する。電力が正常の時にはロード電流が定額電流より小さい。ロード端経由の電流も正常にある。電源端の電流がロード端の電器用品が故障発生した時、或いはスイッチ回路のバイメタル金属片がショート又は回路オーバロードのときは、大電流又はショート電流が発生しバイメタル金属片の熱発生で湾曲して接合点を切断する。而も、電力源の供給を中断し、そのためにロード端の電器用品を保護する。
【００２５】
故障排除の時には復帰設備の復帰ボタンを押して、バイメタル金属片に湾曲が生じた時一つの弾性力を与えて正常状態にはねかえり、正常回路の電力源供給へ回復し、故障の自動トリップ、正常の手動復帰が可能となる。
【００２６】
当然、電源を使用する時に電源の品質が推測できないため、前記突発波防止回路は電力端とロード端間に突発波防止素子を設けて（例えばＴＮＲ）、不慮の突発波がロード端の電器に損害をあたえることを防止するために用いられる。例えばロード端が大電力のモータ、その起動電流が比較的大きく容易に突発波を発生する。前記の突発波防止素子は大部分の突発波を濾過除去でき、更に良質の電力を提供し、安定した電力源を確保する。
【００２７】
一般のコンセントには電源の指示が無い。このため電源が正常の供給であるか否かを知ることができないので、必ずテスタを利用して推測するので相当に不便である。前記電源指示回路は電力源が正常供給の時、電源は抵抗器経由で電圧降下を発生した後、電球を点灯し、電力供給の指示を有する電力源が中断した時には回路中に電流の通電がなくなり、電球の点灯もなく、電力供給の指示もなく、正確な有効の電源指示効能を提供する。
【図面の簡単な説明】
【００２８】
【図１】本考案の立体分解図。
【図２】本考案のセンサ保護回路、突発波防止回路および電源指示回路の立体組立図。
【図２Ａ】センサ保護回路の横方向断面図。
【図２Ｂ】センサ保護回路の縦方向断面図。
【図３】本考案のセンサ保護回路、突発波防止回路および電源指示回路の電子回路説明図。
【図４】本考案の全体組立図。
【図５】本考案の導線溝の説明図。
【符号の説明】
【００２９】
２        本体
３        上カバー
４        センサ保護回路
５        突発波防止回路
６        電源指示回路
２１        上ハウジング体
２２        下ハウジング体
２３        導線溝
３１        とめボタン
３２        孔
４１        スイッチ回路
４２        復帰設備
５１        突発波防止素子
６１        抵抗器
６２        電球
２１１，２１２    プラグ孔
２１３，２１４    アース孔
２１５        ボタン孔
２１６        指示灯孔
２１７，２２４    凸起
２２１，２２３    凹溝
２２２，４１３，４１４    導電片
４１１        凵字形支架
４１２        円孔
４１５        バイメタル金属片
４１６        電源端
４２１        復帰ボタン
４２２        スプリング
【図１】
0003121926.tif 000003
【図２】
0003121926.tif 000004
【図２Ａ】
0003121926.tif 000005
【図２Ｂ】
0003121926.tif 000006
【図３】
0003121926.tif 000007
【図４】
0003121926.tif 000008
【図５】
0003121926.tif 000009